(57)【要約】【課題】底板と側板とが別部材となっており、各部材ごと浴室へ搬入することが可能となり、搬入作業を楽に行うことができる浴槽組立セット、浴槽組立セットを組み立てて構成する水漏れが発生するおそれのない浴槽を提供する。【解決手段】浴槽組立セット２を構成する底板３、側板５、７を施工現場である浴室に搬入する場合、各部材ごとに搬入することが可能である。各部材一つ一つはそれほどの重量ではなく、しかも嵩張らないので人力だけで搬入作業を楽に行うことができる。底板３の保持溝１３に接着剤Ｓを充填し、互いに連結して角筒状にした側板５、７の下端部を差し込む。接着剤Ｓは接着剤浸入溝１５へ浸入する。接着材Ｓが固化すると、側板５、７の下端部と保持溝１３の内面とが接着固定される。更に、接着剤浸入溝１５へ浸入した接着剤Ｓが固化すると、側板５、７が保持溝１３から抜けるのを確実に防止することができる。【選択図】        図１
2015186501.tif 000002
【特許請求の範囲】
【請求項１】
底板と、前記底板の縁部に立設する側板とを有し、前記底板と前記側板は別部材であって、前記底板には保持溝が形成され、前記保持溝に前記側板の下端部が差し込まれて、前記保持溝に充填された接着剤に連結されて組み立てられる浴槽組立セットにおいて、側板の下端部には、保持溝内に充填された接着剤が浸入する接着剤浸入溝が形成されていることを特徴とする浴槽組立セット。
【請求項２】
請求項１に記載した浴槽組立セットにおいて、底板は平板部と、前記平板部の上面側縁部に設けられた立ち上がり部とを有し、前記立ち上がり部に保持溝が形成されていることを特徴とする浴槽組立セット。
【請求項３】
請求項１または２に記載した浴槽組立セットを組み立てて構成された浴槽。
【請求項４】
請求項３に記載した浴槽において、前記浴槽の内側面と外側面の少なくとも一部が木材によって被覆されていることを特徴とする浴槽。
【発明の詳細な説明】
【技術分野】
【０００１】
本発明は浴槽組立セット、浴槽に関するものである。
【背景技術】
【０００２】
浴槽は底板、この底板の縁部に立設する４枚の側板によって構成されるものが殆どである。プラスチック製の浴槽では、底板と側板とを特許文献１に示すように金型のキャビティにプラスチックを射出して一体成形する。従って、浴槽は重量があり、且つ嵩張ったものとなる。
【先行技術文献】
【特許文献】
【０００３】
【特許文献１】特開２００３−３２０５９１号公報
【発明の概要】
【発明が解決しようとする課題】
【０００４】
しかしながら、上記のようにかなりの重量があり、且つ嵩張った浴槽を設置場所まで運搬するためには複数の作業者が必要となるのが通常であり、浴槽のサイズによってクレーン等が必要な場合もある。新築時においては浴室完成前に作業を行うことが可能であったり、他の建築材料を搬入するためにクレーンを使用できたりするので浴槽の搬入を比較的スムーズに行うことができるが、既設の浴槽を交換する場合は新しい浴槽を浴室に搬入する必要がある。このため、底板と側板とが一体となった浴槽を浴室の出入り口から搬入しなければならず、大変な搬入作業を強いられるという問題がある。
【０００５】
一方、底板と側板を別部材として、施工現場で組み立てる浴槽もあるが、底板と側板、側板どうしを接着剤とネジとを併用して連結した場合でも、接合部位において水漏れが生じるおそれがあるという問題がある。
本発明は上記従来の問題点に着目して為されたものであり、底板と側板とが別部材となっており、各部材ごと浴室へ搬入することが可能で、搬入作業を楽に行うことができる浴槽組立セット、浴槽組立セットを組み立てて構成しても水漏れが発生するおそれのない浴槽の提供を、その目的とする。
【課題を解決するための手段】
【０００６】
本発明は上記課題を解決するためになされたものであり、請求項１の発明は、底板と、前記底板の縁部に立設する側板とを有し、前記底板と前記側板は別部材であって、前記底板には保持溝が形成され、前記保持溝に前記側板の下端部が差し込まれて、前記保持溝に充填された接着剤に連結されて組み立てられる浴槽組立セットにおいて、側板の下端部には、保持溝内に充填された接着剤が浸入する接着剤浸入溝が形成されていることを特徴とする浴槽組立セットである。
【０００７】
請求項２の発明は、請求項１に記載した浴槽組立セットにおいて、底板は平板部と、前記平板部の上面側縁部に設けられた立ち上がり部とを有し、前記立ち上がり部に保持溝が形成されていることを特徴とする浴槽組立セットである。
【０００８】
請求項３の発明は、請求項１または２に記載した浴槽組立セットを組み立てて構成された浴槽である。
【０００９】
請求項４の発明は、請求項３に記載した浴槽において、前記浴槽の内側面と外側面の少なくとも一部が木材によって被覆されていることを特徴とする浴槽である。
【発明の効果】
【００１０】
本発明の浴槽組立セットによれば、底板、側板の各部材ごと浴室へ搬入することが可能となり、搬入作業を楽に行うことができるようになる。
また、浴槽組立セットの底板、側板を連結して構成した浴槽に水漏れが発生するのを確実に防止することができる。
【図面の簡単な説明】
【００１１】
【図１】本発明の実施の形態に係る浴槽組立セットの斜視図である。
【図２】図１の浴槽組立セットを組み立てて構成した浴槽の斜視図である。
【図３】図２の浴槽の側板の下端部を差し込んで接着した状態の保持溝の縦断面図である。
【図４】図２に浴槽の外面と内面を木材によって被覆した状態を示す斜視図である。
【発明を実施するための形態】
【００１２】
本発明の実施の形態に係る浴槽１を図面にしたがって説明する。
浴槽１は底板３、４枚の側板５、７から成る浴槽組立セット２によって構成されている。底板３、４枚の側板５、７は耐久性、耐腐食性を有するフェノール樹脂によって構成されている。
底板３の構造について説明する。
符号９は平板部を示し、この平板部９には排水口１０が形成されている。また、平板部９の上面側縁部には立ち上がり部１１が設けられ、この立ち上がり部１１には保持溝１３が形成されている。保持溝１３は立ち上がり部１１の上面に開口を有し、立ち上がり部１１の上面に連続して形成されている。
【００１３】
側板５、７は共に長方形の平板で、同じ高さ寸法を有している。また、側板５は側板７より幅寸法が大きく設定されている。側板５、７の下端部の両側面には接着剤浸入溝１５が形成されており、この接着剤侵入溝１５は側板５、７の幅方向いっぱいに延設されている。
【００１４】
側板５の幅方向の両端部には雄ネジ挿通穴１７が形成され、雄ネジ挿通穴１７は高さ方向に５つ配置されている。雄ネジ挿通穴１７は丸穴で側板５を貫通している。雄ネジ挿通穴１７には雄ネジ１９が挿通される。この雄ネジ１９の頭部２１は扁平に形成されている。
また、側板７の幅方向の両端部にはダボ収容穴２３が形成されており、ダボ収容穴２３は雄ネジ挿通穴１７に対応して配置されている。ダボ収容穴２３は丸穴で、側板７の内面には貫通しない有底の穴である。このダボ収容穴２３には略円柱状のダボ２５が収容され、ダボ２５は、その周面に開口する雌ネジ穴２７を有している。
【００１５】
底板３、側板５、７を施工現場である浴室に搬入する場合、各部材ごとに搬入することが可能である。各部材一つ一つはそれほどの重量ではなく、しかも嵩張らないので、人力だけで搬入作業を楽に行うことができる。
底板３、側板５、７各部材ごと搬入した浴槽組立セット２を組み立てて、浴槽１を形成する作業について説明する。
接着剤を塗布した側板５、７の端部どうしを接合させ、雄ネジ１９を雄ネジ挿通穴１７へ挿入し、ダボ収容穴２３に収容したダボ２５の雌ネジ穴２７に螺合させる。雄ネジ１９を締めることによって側板５と側板７の接合部分が密着する。  このようにして、側板５、７を連結して角筒状とする。
【００１６】
次に、底板３の保持溝１３に接着剤Ｓを充填し、互いに連結して角筒状にした側板５、７の下端部を差し込んで、底板３に側板５、７を立設する。
図３に示すように接着剤Ｓは接着剤浸入溝１５へ浸入する。接着材Ｓが固化すると、側板５、７の下端部と保持溝１３の内面とが接着固定される。更に、接着剤浸入溝１５へ浸入した接着剤Ｓが固化すると、側板５、７が保持溝１３から抜けるのを確実に防止すことができる。
また、接着剤Ｓが固化した後、保持溝１３の縁部の周辺にコーキングＣを施し、漏水をより確実に防止する。
【００１７】
浴槽１はそのままでも使用することができるが、図４に示すように檜材などの木材Ｗによって被覆して、言わば檜風呂の浴槽本体としての利用も可能である。なお、この木材Ｗは簡単に交換可能である。
【００１８】
以上、本発明の実施の形態について詳述してきたが、具体的構成は、この実施の形態に限られるものではなく、本発明の要旨を逸脱しない範囲における設計の変更などがあっても発明に含まれる。
例えば、浴槽組立セットの各部材をフェノール樹脂以外の合成樹脂によって構成してもよい。
【産業上の利用可能性】
【００１９】
本発明は浴槽製造業において利用可能性を有する。
【符号の説明】
【００２０】
１…浴槽      ２…浴槽組立セット      ３…底板      ５、７…側板
９…平板部      １０…排水口      １１…立ち上がり部      １３…保持溝
１５…接着剤浸入溝      １７…雄ネジ挿通穴      １９…雄ネジ
２１…雄ネジの頭部      ２３…ダボ収容穴      ２５…ダボ
２７…雌ネジ穴
Ｓ…接着剤      Ｃ…コーキング      Ｗ…木材
【図１】
2015186501.tif 000003
【図２】
2015186501.tif 000004
【図３】
2015186501.tif 000005
【図４】
2015186501.tif 000006